(57)【要約】【課題】  上流から流下される遊技球の加重が円筒カムに作用し難くすることにより駆動モーターにかかる負荷を減少させ、駆動モーターの大型化などの装置全体のコストの増加を回避することのできるパチンコ機の遊技球払出装置を提供すること。【解決手段】  遊技球の外径よりも僅かに幅広の内径に形成され上流側から遊技球を受け入れて下流側に遊技球を排出させるとともに切り欠き７０を有する球排出路６０と、遊技球を受け止め可能な螺旋羽根５８が外周面に形成された円筒カム５６と、円筒カム５６を回転駆動する駆動モーター５０とが備えられ、円筒カム５６は、螺旋羽根５８が切り欠き７０に臨まれるとともに、円筒カム５６の回転・停止により、螺旋羽根５８によって遊技球を排出・保留するパチンコ機３の遊技球払出装置４０において、球排出路６０に円筒カム５６側面に向けて傾斜される傾斜部６４を設けた。    【選択図】    図４
2008295934.tif 000002
【特許請求の範囲】
【請求項１】
遊技球の外径よりも僅かに幅広の内径に形成され上流側から遊技球を受け入れて下流側に該遊技球を排出させるとともに切り欠きを有する球排出路と、
遊技球を受け止め可能な螺旋羽根が外周面に形成された円筒カムと、
該円筒カムを回転駆動する駆動モーターとが備えられ、
前記円筒カムは、螺旋羽根が前記切り欠きに臨まれるとともに、前記円筒カムの回転・停止により、螺旋羽根によって遊技球を排出・保留するパチンコ機の遊技球払出装置であって、
前記球排出路には、前記円筒カム側面に向けて傾斜される傾斜部を有することを特徴とするパチンコ機の遊技球払出装置。
【請求項２】
前記傾斜部が、前記円筒カムに向かって、前記円筒カムの軸心に対して約３０度の下り傾斜に形成されることを特徴とする請求項１に記載のパチンコ機の遊技球払出装置。
【請求項３】
前記球排出路には、前記傾斜部の下流側に、円筒カムから離れる方向に傾斜された排出傾斜部が備えられることを特徴とする請求項１または請求項２に記載のパチンコ機の遊技球払出装置。
【発明の詳細な説明】
【技術分野】
【０００１】
本発明は、貸球操作や遊技球の入賞の際などに所定個数の遊技球を払い出すパチンコ機の遊技球払出装置に関する。
【背景技術】
【０００２】
従来、パチンコ機には、遊技者による貸球操作や遊技球の入賞の際などに、パチンコ機正面側に設置された球受け皿に貸球や賞球として所定個数の遊技球を払い出す遊技球払出装置が内蔵されている。払い出す遊技球の数は予め一定の個数に設定されており、また、貸球操作時、各種の入賞態様によって、その個数も異なることが多い。そのため、これらの各態様に応じて所定個数の遊技球が払い出されるようにするために、遊技球払出装置には、通常時には遊技球の流下を停止しておき、貸球操作が行われた際などには遊技球の払い出しを開始し、予め定められた所定個数の遊技球を払い出した際に遊技球の流下を停止するように設けられている。このために、例えば、駆動モーターと、この駆動モーターに連結されるとともに螺旋羽根が形成された円筒カムとを備え、払出時には、駆動モーターによって円筒カムを所定回数回転させることにより所定個数の遊技球を払い出すものが用いられている（例えば、特許文献１参照。）。
【０００３】
【特許文献１】特開平８−５７１２９号公報（図４）
【発明の開示】
【発明が解決しようとする課題】
【０００４】
ところが、上記した従来の遊技球払出装置では、上流側から流下されてくる多数の遊技球の加重が円筒カムの螺旋羽根に作用し、駆動モーターの動作精度に支障をきたすという問題が生じていた。このため、駆動モーターにかかる過大な負荷に耐えるために大型のモーターが必要となるなど装置全体のコストが嵩むという問題があった。
【０００５】
本発明は上記した従来のパチンコ機の遊技球払出装置の問題点を解消するものであり、上流から流下される遊技球の加重が円筒カムに作用し難くすることにより駆動モーターにかかる負荷を減少させ、駆動モーターの大型化などの装置全体のコストの増加を回避することのできるパチンコ機の遊技球払出装置を提供することを目的とする。
【課題を解決するための手段】
【０００６】
以上の課題を解決するために、本発明の採った手段を以下に説明する。本発明のパチンコ機の遊技球払出装置は、遊技球の外径よりも僅かに幅広の内径に形成され上流側から遊技球を受け入れて下流側に該遊技球を排出させるとともに切り欠きを有する球排出路と、遊技球を受け止め可能な螺旋羽根が外周面に形成された円筒カムと、該円筒カムを回転駆動する駆動モーターとが備えられ、前記円筒カムは、螺旋羽根が前記切り欠きに臨まれるとともに、前記円筒カムの回転・停止により、螺旋羽根によって遊技球を排出・保留するパチンコ機の遊技球払出装置であって、前記球排出路には、前記円筒カム側面に向けて傾斜される傾斜部を有することを特徴とするパチンコ機の遊技球払出装置（請求項１）である。
【０００７】
遊技球の払い出し時以外には、上流側から連続して整列される遊技球列の先端の遊技球は、回転が停止されている円筒カムの螺旋羽根によって受け止められている。球排出路に前述のような傾斜部を設けることにより、遊技球列の加重は、螺旋羽根だけでなく傾斜部にも分散される。よって、円筒カムの螺旋羽根に作用する加重を軽減することができる。
【０００８】
また、前記傾斜部が、前記円筒カムに向かって、前記円筒カムの軸心に対して約３０度の下り傾斜に形成されるものとしても良い（請求項２）。
【０００９】
円筒カムに対する傾斜角度を強くした傾斜部とすると、遊技球の荷重は傾斜部により分散される半面、遊技球の払い出し時に遊技球の流下が円滑でなくなるおそれがある。上記のように角度を設けることにより、遊技球の加重を一定以上傾斜部にて受け止めることができるとともに、傾斜部によって遊技球の払出時には遊技球の流下速度を必要以上に低下させることなく、遊技球を円滑に払い出すこともできる。    
【００１０】
また、前記球排出路には、前記傾斜部の下流側に、円筒カムから離れる方向に傾斜された排出傾斜部を備えるものとしても良い（請求項３）。
【００１１】
このような排出傾斜部を設けることにより、螺旋羽根に受け止められていた遊技球が、円筒カムの回転によって螺旋羽根から早期に下方に抜ける。よって、遊技球の払い出しを迅速に行うことができる。
【発明の効果】
【００１２】
本発明の遊技球払出装置は上記のように球通路に傾斜部を備えて上流側から流下される遊技球の加重の一部が傾斜部に分散され、円筒カムの螺旋羽根に作用する加重が軽減されるので、駆動モーターの大型化などの装置全体のコストの増加を回避することのできるパチンコ機の遊技球払出装置とすることができる。
【発明を実施するための最良の形態】
【００１３】
次に、本発明の遊技球払出装置４０の実施の形態を図を参考にして詳細に説明する。図１に示すように、本発明に係るパチンコ機３はいわゆる「第一種パチンコ機」と呼ばれる、特別図柄表示装置を備え、図柄が特定の態様に揃った場合には、遊技盤６下部の可変大入賞口装置の開閉扉が開成されて多数の遊技球を入賞することができる、いわゆる「大当たり」と呼ばれる特別遊技状態を生起するパチンコ機である。
【００１４】
［パチンコ機全体の構成］
図１に示すように、パチンコ機３は、いわゆる「第一種パチンコ機」と呼ばれるパチンコ機である。遊技領域１３の中央に特別図柄表示装置（図示省略）を備え、図柄が特定の態様に揃った場合には遊技盤６下部の可変大入賞口装置の開閉扉が開成されて多数の遊技球を入賞することができる、いわゆる「大当たり」と呼ばれる特別遊技状態を生起するパチンコ機である。
【００１５】
パチンコ機３の機枠１は、パチンコ機３の本体２を遊技ホールの設置場所（いわゆる「島設備」）に固定するためのものであり縦長長方形状の木製の枠部材から構成されている。機枠１の前面には、機枠１に対してヒンジ機構によって開閉自在に取付固定された前面枠４が設けられている。
【００１６】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には前面扉７が開閉自在に取付固定されている。
【００１７】
また、上記した前面扉７の下方には、球受け皿３０の余剰球を貯留するための余剰球受け皿９や、発射装置を駆動して遊技球を遊技領域に向けて発射するための操作ハンドル１０が取り付けられている。
【００１８】
遊技盤６の前面には、遊技盤６の周辺付近に全体がほぼ円形状に配設されたガイドレール１２が取り付けられており、このガイドレール１２に囲まれた区画が遊技領域１３とされている。遊技領域１３には、図示は省略するが、特別図柄表示装置、普通図柄表示装置、始動入賞口、可変大入賞口装置、通過チャッカー、各種の一般入賞口、アウト口、風車及び多数の釘などが取り付けられている。
【００１９】
図２に示すように、本発明の遊技球払出装置４０はパチンコ機３の裏面側に取り付けられている。パチンコ機３の裏面側上部には、パチンコ機３上方から運ばれてくる遊技球を貯留しておく賞球タンク３０が取り付けられている。この賞球タンク３０内の遊技球は、賞球タンク３０内において２列に整列されて下流側の誘導樋３２ａ，ｂにそれぞれ流下される。誘導樋３２ａ，ｂは二つの遊技球払出装置４０にそれぞれ接続されている。遊技球払出装置４０の下流側には、払い出された遊技球をパチンコ機３正面側の球受け皿８に排出する排出樋３４ａ，ｂが接続されている。これらの排出樋３４ａ，ｂは、途中で一つにまとめられて球受け皿８の上皿口１４に接続されており、遊技球払出装置４０から払い出された遊技球は、上皿口１４から球受け皿８に流下されるように設けられている。また、排出樋３４の途中には、遊技ホールの営業時間が終了した後などに、遊技球払出装置４０より上流側に貯留されていた遊技球を排出するための球抜き通路３５が接続されている。また、球抜き通路３５の下端には、遊技球をパチンコ機３外に排出する球抜き口３８が開口されている。球抜き通路３５の接続部には、通常時には上皿口１４に遊技球を流下させる一方球抜き時には球抜き通路３５に遊技球を流下させるように切り替え可能な切替弁３７が取り付けられている。また、上皿口１４のすぐ上流側には、余剰球受け皿９の下皿口１５に接続されるオーバーフロー通路３６が接続されており、球受け皿８に多数の遊技球が貯留された場合に、球受け皿８からあふれた余剰遊技球が余剰球受け皿９に流下するように設けられている。
【００２０】
[遊技球払出装置の構成]
次いで、図３から図６を参照して、遊技球払出装置４０について説明する。遊技球払出装置４０は、ほぼ直方体状の全体形状に形成されており、図５及び図６に示すように、第一ケース体４２と第二ケース体４４に駆動モーター５０などが収容されている。
【００２１】
図４及び図５に示すように、第一ケース体４２内の上下方向のほぼ中央には、水平に仕切られた仕切板４６が設けられており、この仕切板４６の上方の上部収容室４８内に駆動モーター５０が組み付けられている。また、仕切板４６の下方の下部収容室４９内には、第一歯車５２、第二歯車５４及び円筒カム５６などが組み付けられている。また、図５及び図６に示すように、第一ケース体４２と第二ケース体４４との間には、下部収容室４９内に組み付けられる第一歯車５２、第二歯車５４及び円筒カム５６などを固定するための固定板４５が取り付けられる。そして、第二ケース体４４は、これらの第一ケース体４２及び固定板４５に取り付けられると共に、駆動モーター５０を固定する。
【００２２】
図４に示すように、仕切板４６に取り付けられた駆動モーター５０に連結された駆動軸５１には仕切板４６下方の第一歯車５２が取り付けられており、この第一歯車５２には円筒カム５６が軸着された第二歯車５４が連結されている。円筒カム５６は、第一ケース体４２の内部下面と仕切板４６との間に両軸端部が嵌装されており、第二歯車５４と共に回転可能に取り付けられている。また、円筒カム５６の軸部５７の外周面には、球排出路６０内を連続通過する遊技球を受け止める螺旋羽根５８が形成されている。螺旋羽根５８は、遊技球の外径よりも僅かに大きな幅で軸部５７に沿って等間隔に形成されている。
【００２３】
図６に示すように、第一ケース体４２の正面視右側面には、球排出路６０を構成する第一排出路構成部４１が形成されている。第一排出路構成部４１は、第一ケース体４２の正面視に向けて開口部４３が開口され横断面がほぼ「コ」字状に形成されている。また、固定板４５の正面視右側には、第一排出路構成部４１の開口部４３を覆って、第一排出路構成部４１と共に球排出路６０を形成する第二排出路構成部４７が形成されている。
【００２４】
次いで球排出路６０について説明する。図４に示すように、球排出路６０は、遊技球払出装置４０の上下方向にほぼ沿って形成されている。球排出路６０の上端及び下端の開口部６２，６３は遊技球の外径よりも僅かに大きな内径に形成されている。上端の開口部６２からは、組み付けられた円筒カム５６の軸心とほぼ平行に、開口部６２と同径の流下口６１が球排出路６０の全高の上側約３分の１程度にまで形成されている。
【００２５】
流下口６１の下方には、円筒カム５６と対向する部位の第一排出路構成部４１の内壁面には傾斜部６４が形成されている。この傾斜部６４が本発明に言う「傾斜部」である。傾斜部６４は下方に向けて、円筒カム５６の軸部５７に対して約３０度の角度で円筒カム５６側に傾斜されている。この傾斜部６４は、球排出路６０の全高の中央やや下寄りにまで形成されている。そして、傾斜部６４の下端には円筒カム５６側に突出された頂部６６が形成されており、この頂部６６から下端の開口部６３までには、軸部５７に対して約２０度の角度で円筒カム５６と反対側に傾斜された排出傾斜部６８が形成されている。
【００２６】
軸部５７の外周面から頂部６６までの間隔Ｌ１は遊技球の外径よりも僅かに大きく形成されている。一方、螺旋羽根５８の先端部５９から頂部６６までの間隔Ｌ２は遊技球の外径よりも小さく形成されており、円筒カム５６の停止時には、球排出路６０内に連続して整列される遊技球の先端の遊技球は軸部５７と頂部６６との間において螺旋羽根５８に受け止められて待機される。
【００２７】
また、球排出路６０において、傾斜部６４や頂部６６と反対方向の部位には、円筒カム５６の側部が露呈される切り欠き７０が開口されており、この切り欠け７０から、円筒カム５６の軸部５７及び螺旋羽根５８が球排出路６０内に突出されている。
【００２８】
次いで、この遊技球払出装置４０の作用について説明する。賞球タンク３０から誘導樋３２ａ，ｂを経て遊技球払出装置４０にまで連続して整列されている遊技球は、前述したように、その先端の遊技球が円筒カム５６の螺旋羽根５８に受け止められて軸部５７と傾斜部６４との間に保持され、流下を停止されている。そして、貸球操作が行われたり、種々の入賞口に入賞すると、駆動モーター５０に遊技球の払出命令信号が送られて、所定数の遊技球が払い出される分だけ駆動モーター５０が回転駆動される。円筒カム５６は、駆動モーター５０によって、上方から見て反時計回りに回転されるように設けられており、螺旋羽根５８に受けとめられていた整列先端の遊技球は、円筒カム５６の回転により徐々に下方に移動し、最終的に螺旋羽根５８から離脱して下端の開口６３から排出樋３４ａ，ｂに流下され球受け皿８に至る。このようにして円筒カム５６の回転によって、遊技球は球排出路６０上方から下方に向けて順次連続して排出される。そして、入賞態様などに応じた所定回数の回転が終了すると駆動モーター５０が停止され、整列先端の遊技球は螺旋羽根５８によって受け止められて遊技球の流下が停止される。
【００２９】
ここで、図４に示すように、遊技球の流下が停止された際には、整列先端の遊技球は、螺旋羽根５８に受け止められるとともに、傾斜部６４によっても受け止められており、その加重の一部を傾斜部６４によっても受け止められている。よって、螺旋羽根５８に作用する加重を低減することができ、そのため、大型の駆動モーターを用いるなどの必要性を無くすことができる。
【００３０】
また、このような遊技球払出装置４０を二つ並列して設置したので、単位時間当たりの遊技球の払い出し数を多くすることができる。なお、場合によっては、駆動モーターの回転速度を速めるなどとして、遊技球払出装置４０を一つだけ用いることも可能である。
【００３１】
また、前述したように傾斜部６４の傾斜角度は円筒カム５６の軸部５７に対して約３０度の角度に設けられており、遊技球の加重を一定以上傾斜部６４にて受け止めることができるとともに、遊技球の払出時には遊技球の流下速度を低下させることなく遊技球を円滑に払い出すこともできる。
【００３２】
なお、本発明は前述した実施の形態に限られるものではなく、本発明の趣旨の範囲内で種々の変更が可能である。例えば、傾斜部６４の傾斜角度やその長さは、上記した例に限られず駆動モーターなどに応じて種々の態様に変更することが可能である。
【００３３】
また、前述した実施の形態では、頂部６６下方には、円筒カム５６から離隔するように傾斜した排出傾斜部６８を設けることとしているが、これに限られず、排出傾斜部６８を省略して円筒カム５６の軸部５７に沿って鉛直方向に遊技球が移動されるようにすることも可能である。しかしながら、遊技球を迅速に払い出すためには、前述した実施の形態のように円筒カム５６から離隔するように傾斜した排出傾斜部６８を頂部６６の下方に設けることにより、螺旋羽根６４に受け止められていた遊技球が、螺旋羽根６４から早期に下方に抜けるように構成することが望ましい。
【図面の簡単な説明】
【００３４】
【図１】本発明の遊技球払出装置を取り付けたパチンコ機の正面図である。
【図２】本発明の遊技球払出装置を取り付けたパチンコ機の背面図である。
【図３】遊技球払出装置の斜視図である。
【図４】遊技球払出装置の縦断面図である。
【図５】遊技球払出装置の右側面視分解図である。
【図６】遊技球払出装置の平面視分解図である。
【符号の説明】
【００３５】
１；機枠、２；本体、３；パチンコ機、４；前面枠、５；ガラス扉枠、６；遊技盤、７；前面扉、８；球受け皿、９；余剰球受け皿、１０；操作ハンドル、１２；ガイドレール１３；遊技領域、１４；上皿口、１５；下皿口、３０；賞球タンク、３２ａ，３２ｂ；誘導樋、３４ａ，３４ｂ；排出樋、３５；球抜き樋、３６；オーバーフロー通路、３７；切替弁、３８；球抜き口、４０；遊技球払出装置、４１；第一排出路構成部、４２；第一ケース体、４３；開口部、４４；第二ケース体、４５；固定板、４６；仕切板、４７；第二排出路構成部、４８；上部収容室、４９；下部収容室、５０；駆動モーター、５１；駆動軸、５２；第一歯車、５４；第二歯車、５６；円筒カム、５７；軸部、５８；螺旋羽根、５９；先端部、６０；球排出路、６１；流下口、６２，６３；開口部、６４；傾斜部、６６；頂部、６８；排出傾斜部、７０；切り欠き。
【図１】
2008295934.tif 000003
【図２】
2008295934.tif 000004
【図３】
2008295934.tif 000005
【図４】
2008295934.tif 000006
【図５】
2008295934.tif 000007
【図６】
2008295934.tif 000008